(57)【要約】【課題】本発明は、配管内に差水が発生しているか否かガスが使用される前の時点で適切に判定することができるガス遮断装置を提供する。【解決手段】本発明に係るガス遮断装置は、配管を介して供給されたガスが流通する計測流路と、計測流路内を流通するガスの流量を計測する流量計測部と、計測流路内の湿度を検知する湿度センサと、計測流路の開閉を行う遮断部と、制御部と、を備え、制御部は、遮断部により計測流路が開放されている状態において、湿度センサによって検知された湿度の値に基づき湿度が上昇していると判定し、かつ流量計測部によって計測されたガスの流量の値に基づき計測流路内をガスが流れていないと判定した場合、配管内に差水が発生していると判定する。【選択図】図３
2020165854.tif 000002
【特許請求の範囲】
【請求項１】
配管を介して供給されたガスが流通する計測流路と、
前記計測流路内を流通するガスの流量を計測する流量計測部と、
前記計測流路内の湿度を検知する湿度センサと、
前記計測流路の開閉を行う遮断部と、
制御部と、を備え、
前記制御部は、前記遮断部により前記計測流路が開放されている状態において、前記湿度センサによって検知された湿度の値に基づき湿度が上昇していると判定し、かつ流量計測部によって計測されたガスの流量の値に基づき計測流路内をガスが流れていないと判定した場合、前記配管内に差水が発生していると判定するガス遮断装置。
【請求項２】
外部に情報を知らせる報知部をさらに備え、
前記制御部は、前記配管内に差水が発生していると判定した場合、配管内に差水が発生していることを示す情報を外部に知らせるように報知部を制御する請求項１に記載のガス遮断装置。
【請求項３】
配管を介して供給されたガスが流通する計測流路と、
前記計測流路内を流通するガスの流量を計測する流量計測部と、
前記計測流路内の湿度を検知する湿度センサと、
前記計測流路の開閉を行う遮断部と、を備えるガス遮断装置の制御方法であって、
前記遮断部により前記計測流路が開放されている状態において、前記湿度センサによって検知された湿度の値に基づき湿度が上昇しているか否か判定する第１ステップと、
流量計測部によって計測されたガスの流量の値に基づき計測流路内をガスが流れているか否か判定する第２ステップと、
前記第１ステップにおいて湿度が上昇していると判定し、かつ上記第２ステップにおいて前記計測流路内をガスが流れていないと判定した場合、前記配管内に差水が発生していると判定する第３ステップと、を含むガス遮断装置の制御方法。
【発明の詳細な説明】
【技術分野】
【０００１】
本発明は、配管内における差水の発生を検出するガス遮断装置（ガスメータ）およびガス遮断装置の制御方法に関する。
【背景技術】
【０００２】
埋設されたガス管の近傍に水道管が埋設されている場合、当該水道管が破損したときに破損箇所からの水流が周辺の土砂や石を巻き込み、当該土砂や石がガス管に衝突するサンドブラストが発生することがある。当該サンドブラストによりガス管が破損した場合、ガス管の内部に泥水が侵入する（以下、差水と呼ぶことがある）ことがある。
【０００３】
このように、配管内に差水が発生すると、供給されるガス中に水分が含まれ、ガスの供給不良、またはガス流量の測定不良等が生じる可能性がある。また、ガス需要家宅に備えられているガス機器においてバーナの着火不良が生じたり、バーナにおけるガスの噴出口から水が噴出したりする可能性もある。
【０００４】
そこで、上記した問題を解決するために、配管内において差水が発生したことを検出することができるガス遮断装置（ガスメータ／ガス管内差水検出装置）が提案されている（例えば、特許文献１、２）。
【０００５】
特許文献１に開示されたガス遮断装置（ガスメータ）は、ガスの通路内に、熱式フローセンサを設けて、通過するガスの流速に応じた電位の変化を検出するように構成されている。そして、この電位の変化が比熱の変化に対応するという原理を用いて、ガスの中に含まれる水分を検出することができる。
【０００６】
また、特許文献２に開示されたガス遮断装置（ガス管内差水検出装置）は、所定の流路内を流れるガス中の湿度を検出する湿度検出器と、湿度検出器からの出力に基づいて、所定の流路にガスを導くガス管内に水が浸入したか否か判定する判定手段とを備えている。
【先行技術文献】
【特許文献】
【０００７】
【特許文献１】特開平１１−１４４２４号公報
【特許文献２】特開２００１−３１８０１９号公報
【発明の概要】
【発明が解決しようとする課題】
【０００８】
従来のガス遮断装置は、配管内に差水が発生しているか否か、ガスが使用される前の時点で適切に判定することができないという問題がある。
【０００９】
本発明はこのような課題を解決するためになされたものであって、配管内に差水が発生しているか否かガスが使用される前の時点で適切に判定することができるガス遮断装置およびガス遮断装置の制御方法を提供することを目的とする。
【課題を解決するための手段】
【００１０】
本発明に係るガス遮断装置の一態様（ａｓｐｅｃｔ）は、配管を介して供給されたガスが流通する計測流路と、前記計測流路内を流通するガスの流量を計測する流量計測部と、前記計測流路内の湿度を検知する湿度センサと、前記計測流路の開閉を行う遮断部と、制御部と、を備え、前記制御部は、前記遮断部により前記計測流路が開放されている状態において、前記湿度センサによって検知された湿度の値に基づき湿度が上昇していると判定し、かつ流量計測部によって計測されたガスの流量の値に基づき計測流路内をガスが流れていないと判定した場合、前記配管内に差水が発生していると判定する。
【００１１】
本発明に係るガス遮断装置の制御方法の一態様（ａｓｐｅｃｔ）は、配管を介して供給されたガスが流通する計測流路と、前記計測流路内を流通するガスの流量を計測する流量計測部と、前記計測流路内の湿度を検知する湿度センサと、前記計測流路の開閉を行う遮断部と、を備えるガス遮断装置の制御方法であって、前記制御部は、前記遮断部により前記計測流路が開放されている状態において、前記湿度センサによって検知された湿度の値に基づき湿度が上昇しているか否か判定する第１ステップと、流量計測部によって計測されたガスの流量の値に基づき計測流路内をガスが流れているか否か判定する第２ステップと、前記第１ステップにおいて湿度が上昇していると判定し、かつ上記第２ステップにおいて前記計測流路内をガスが流れていないと判定した場合、前記配管内に差水が発生していると判定する第３ステップと、を含む。
【発明の効果】
【００１２】
本発明では、以上の構成により、配管内に差水が発生しているか否かガスが使用される前の時点で適切に判定することができるという効果を奏する。
【図面の簡単な説明】
【００１３】
【図１】計測流路が開弁された状態でかつガスの不使用期間およびガスの使用期間における計測流路内の湿度変化を示す時系列データの一例である。
【図２】本発明の実施の形態に係るガス遮断装置の構成例を示すブロック図である。
【図３】図２に示すガス遮断装置の差水判定処理に関する構成の一例を示すブロック図である。
【図４】図２に示すガス遮断装置による差水判定処理の一例を示すフローチャートである。
【図５】図２に示すガス遮断装置による差水判定処理の変形例の一例を示すフローチャートである。
【発明を実施するための形態】
【００１４】
（本発明の一形態を得るに至った経緯）
本発明者らは配管内における差水の発生を検出することができるガス遮断装置として、上記した特許文献１、２に係るガス遮断装置（ガスメータ／ガス管内差水検出装置）について鋭意検討した結果、以下の知見を得た。
【００１５】
まず、特許文献１に開示されたガス遮断装置（ガスメータ）は、ガス管への取り付け時（遮断弁が閉じ、ガス流路が遮断されている状態の時）におけるフローセンサの出力信号を初期値として記憶部に記憶している。そして、ガス遮断装置は、記憶部に記憶した初期値と、取り付け後の遮断弁が閉じた状態の時におけるフローセンサからの出力信号とを比較し、ガス中に含まれる水分を検出するように構成されている。
【００１６】
換言すると特許文献１に開示されたガス遮断装置は、平常時における閉弁時のフローセンサの出力値を初期値として記憶し、有事の際の閉弁時のフローセンサの出力値とその初期値とを比較してその相違からガス中に含まれる水分を検出する構成である。
【００１７】
ところで、特許文献１に開示されたガス遮断装置では、このガス中に含まれる水分を検出することができるフローセンサは、ガスの流れ方向において遮断弁よりも下流側に設けられている。このため、ガス中の水分の検出は、遮断弁により閉弁された状態にあるガスの流路内で行われることとなる。
【００１８】
それ故、本発明者らは、特許文献１に開示されたガス遮断装置のように、閉弁された状態にあるガスの流路内で水分検出を行う構成では、ガス遮断装置よりも上流側に配置されている配管内の差水の発生状況について確度よく推定することが困難であるという問題を見出した。
【００１９】
また、特許文献１に開示されたガス遮断装置は、地震等に起因してガス流路が遮断弁によって遮断された場合に限りガス中の水分の混入を検出することができる構成となっている。このように、地震等が発生しない限りはガス中の水分の混入を検出することができない構成であるため、地域によっては長期間にわたりガス中の水分の混入を検出しない場合があることにも気が付いた。
【００２０】
特許文献１に開示されたガス遮断装置が有する上記した問題に対して、特許文献２に開示されたガス遮断装置（ガス管内差水検出装置）では、以下の構成が提案されている。
【００２１】
すなわち、所定の流路内を流れるガスの湿度を検出する湿度検出器と、湿度検出器からの出力に基づいて、所定の流路にガスを導く配管内に水が浸入したか否か判定する判定手段を備える。この構成により、ガスの流路を遮断することなく流路内を流れるガスを検出対象としてガス中の水分の混入を検出することができる。
【００２２】
つまり、特許文献１に開示されたガス遮断装置は、ガスの流路が閉弁されている時しかガス中の水分の混入を検出することができないのに対して、特許文献２に開示されたガス遮断装置は、ガスの使用時にガス中の水分の混入を検出して、配管内の差水の有無を判定することができる構成となっている。
【００２３】
ところで、実際のガス需要家宅におけるガスの使用態様を考えたとき、ガスの不使用時の期間の方が使用時の期間よりも圧倒的に長い。このため、実際のガスの使用態様を考慮すると、特許文献２に開示されたガス遮断装置のように、ガスの使用時に配管内の差水の有無を判定する構成では、配管内に発生した差水をガスが使用される前の時点で事前に検知するためには十分ではない。
【００２４】
そこで、本発明者らは、計測流路が開弁された状態でかつガス不使用期間において、配管内に差水が発生している時と、発生していない時とでは湿度の変化に相違があることを発見した。
【００２５】
具体的には、図１に示すようにガス不使用期間において、配管に差水が生じている場合、湿度が漸増するが、配管に差水が生じていない場合は湿度の漸増は見られないことを見出した。なお、図１は、計測流路が開弁された状態でかつガスの不使用期間およびガスの使用期間における計測流路内の湿度変化を示す時系列データの一例である。図１において、実線により配管に差水が生じている場合の湿度の時系列変化を示し、一点鎖線により配管に差水が生じていない場合の湿度の時系列変化を示している。
【００２６】
より具体的には、図１に示すように、配管内に差水が生じている場合、ガスの不使用期間において徐々に湿度が上昇する。一方、配管内に差水が生じていない場合は、ガスの不使用期間においてほぼ湿度に変化が見られない。さらに、配管内に差水が生じている場合、ガスの使用が開始されると、ガスの流量値とガス配管における差水の位置からガス遮断装置（ガスメータ）までの配管長に応じた時間（例えば、数秒から数時間）が経過後、短時間（数十秒）だけ湿度が急増するピークが生じるが、配管内に差水が生じていない場合はこのようなピークが生じない。
【００２７】
このように、本発明者らは、配管内に差水が発生している場合、ガス不使用期間およびガスの使用開始後において湿度の時系列データに特徴的な変化がみられることに気が付いた。
【００２８】
そして、配管内に差水が発生している時の図１に示す湿度の特徴的な時系列データの変化から、配管内における差水の有無を判定する構成とすることで、ガスの不使用時においても配管内に差水が発生しているか否かガスが使用される前の時点で適切に判定することができることを見出した。
【００２９】
上記した本発明者等の知見は、これまで明らかにされていなかったものであり、顕著な作用効果を奏する新規な技術的特徴を有するものである。そこで、本発明は具体的には以下に示す態様を提供する。
【００３０】
本発明の第１の態様に係るガス遮断装置は、配管を介して供給されたガスが流通する計測流路と、前記計測流路内を流通するガスの流量を計測する流量計測部と、前記計測流路内の湿度を検知する湿度センサと、前記計測流路の開閉を行う遮断部と、制御部と、を備え、前記制御部は、前記遮断部により前記計測流路が開放されている状態において、前記湿度センサによって検知された湿度の値に基づき湿度が上昇していると判定し、かつ流量計測部によって計測されたガスの流量の値に基づき計測流路内をガスが流れていないと判定した場合、前記配管内に差水が発生していると判定する。
【００３１】
上記構成によると、制御部は、計測流路が開放されている状態で、計測流路をガスが流れていない、すなわちガスが使用されていない時でかつ、計測流路内の湿度が上昇しているという、配管内に差水が発生したときの特徴的な計測流路内の湿度変化をとらえ、配管内の差水の有無を判定することができる。
【００３２】
つまり、計測流路が開放されている平常時において、ガスの使用がない状態で、配管内に差水が発生しているか否か判定することができる。
【００３３】
このため、配管内に差水が発生しているか否かガスが使用される前の時点で適切に判定することができるという効果を奏する。
【００３４】
本発明の第２の態様に係るガス遮断装置は、上記した第１の態様において、外部に情報を知らせる報知部をさらに備え、前記制御部は、前記配管内に差水が発生していると判定した場合、配管内に差水が発生していることを示す情報を外部に知らせるように報知部を制御するように構成されていてもよい。
【００３５】
上記構成によると、報知部を備えるため、配管内における差水の発生を外部に適切に知らせることができる。
【００３６】
なお、報知部による報知だけでなく、遮断部によるガスの遮断も行う構成としてもよい。これにより、差水がガス遮断装置（ガスメータ）の下流のガス機器に流入することを防止することができる。
【００３７】
本発明の第３の態様に係るガス遮断装置の制御方法は、配管を介して供給されたガスが流通する計測流路と、前記計測流路内を流通するガスの流量を計測する流量計測部と、前記計測流路内の湿度を検知する湿度センサと、前記計測流路の開閉を行う遮断部と、を備えるガス遮断装置の制御方法であって、前記遮断部により前記計測流路が開放されている状態において、前記湿度センサによって検知された湿度の値に基づき湿度が上昇しているか否か判定する第１ステップと、流量計測部によって計測されたガスの流量の値に基づき計測流路内をガスが流れているか否か判定する第２ステップと、前記第１ステップにおいて湿度が上昇していると判定し、かつ上記第２ステップにおいて前記計測流路内をガスが流れていないと判定した場合、前記配管内に差水が発生していると判定する第３ステップと、を含む。
【００３８】
上記方法によると、計測流路が開放されている状態で、第１ステップにより計測流路内の湿度の上昇の有無を判定することができる。また、第２ステップにより、計測流路をガスが流れているか否か、すなわちガスが使用されているか否か判定することができる。
【００３９】
このため、第３ステップにより、ガスが使用されていない時でかつ、計測流路内の湿度が上昇しているという、配管内に差水が発生したときの特徴的な計測流路内の湿度変化をとらえ、配管内の差水の有無を判定することができる。
【００４０】
つまり、計測流路が開放されている平常時において、ガスの使用がない状態で、配管内に差水が発生しているか否か判定することができる。
【００４１】
このため、配管内に差水が発生しているか否かガスが使用される前の時点で適切に判定することができるという効果を奏する。
【００４２】
以下、本発明の代表的な実施の形態を、図面を参照しながら説明する。なお、以下では全ての図を通じて同一又は相当する要素には同一の参照符号を付して、その重複する説明を省略する。
【００４３】
［ガス遮断装置の構成］
本実施の形態に係るガス遮断装置１００は、図２に示すように、流量計測部２０と、制御部２１と、報知部２２と、遮断部２３と、湿度センサ２４とを備えた、ガスメータである。図２は、本発明の実施の形態に係るガス遮断装置１００の構成例を示すブロック図である。
【００４４】
ガス遮断装置１００では、計測流路１１は、ガスの流れ方向において上流側の端部で、例えば公道下に敷設された配管（不図示）と接続されている供給管１０と第１接続部２５を介して接続されている。一方、計測流路１１は、下流側の端部で、需要家に引き込まれる室内管１２と第２接続部２６を介して接続されている。
【００４５】
このため、配管を流通するガスは供給管１０を介して計測流路１１を流れ、室内管１２を通じて需要家に設けられたガス機器に供給することができる。
【００４６】
なお、計測流路１１には、上流側から順に遮断部２３、湿度センサ２４、および流量計測部２０が設けられている。
【００４７】
遮断部２３は、計測流路１１の開閉を行う装置であり、制御部２１からの制御指示に応じて計測流路１１を遮断して閉状態としたり、開放させて開状態としたりする。遮断部２３は、例えば、電磁遮断弁または機械式遮断弁等を挙げることができる。遮断部２３は、地震など有事の発生時には、制御部２１から送信された電気信号に応じて計測流路１１を遮断する構成としてもよいし、感震器(不図示)の動作に応じて、計測流路１１を遮断する構成としてもよい。
【００４８】
湿度センサ２４は、計測流路１１内の湿度を検知する装置であり、検知された値は制御部２１に送信される。
【００４９】
流量計測部２０は、計測流路１１を流通する単位時間当たりのガスの流量を計測する装置である。流量計測部２０は膜式ガスメータであってもよいし超音波式ガスメータであってもよい。あるいは、例えば、電子的な検出原理を利用したフローセンサ、あるいはフルイディック方式等の瞬時流量計によってガス流量を求めるように構成されていてもよい。流量計測部２０によって計測されたガスの流量を示す値は制御部２１に送信される。
【００５０】
制御部２１は、ガス遮断装置１００が備える各部の各種制御を行うものであり、ＣＰＵ等の演算部（不図示）、及びＲＯＭ、ＲＡＭ等の記憶部（不図示）を備えている。記憶部には、例えば、ガス遮断装置１００の基本プログラム及び各種固定データ等の情報が記憶されており、演算部はこの基本プログラム等を読み出して実行することにより、制御部２１は各部の動作を制御する。なお、制御部２１は、集中制御する単独の制御部によって構成されていてもよいし、互いに協働して分散制御する複数の制御部によって構成されていてもよい。
【００５１】
報知部２２は、外部に情報を知らせる装置であり、例えば、配管内における差水の発生を外部に通知することができる。報知部２２は、例えば、音声で通知する場合は音響装置、通信回線網を通じて外部装置に通知する場合は通信インタフェース、光などで通知する場合は発光装置等が例示できる。
【００５２】
次に、本実施の形態に係るガス遮断装置１００における差水の有無を判定する差水判定処理に関する構成および差水判定処理について図３、４を参照して説明する。図３は、図２に示すガス遮断装置１００の差水判定処理に関する構成の一例を示すブロック図である。図４は、図２に示すガス遮断装置１００による差水判定処理の一例を示すフローチャートである。
【００５３】
［差水判定処理］
図３に示すように、制御部２１は、差水判定処理に関する機能ブロックとして、湿度上昇判定部３１、流量演算部３２、流通判定部３３、および差水判定部３４を備える。
【００５４】
湿度上昇判定部３１は、湿度センサ２４によって検知された計測流路１１内の湿度の値を所定の間隔で逐次受け付け、湿度が上昇したか否か判定する。湿度上昇判定部３１は、湿度センサ２４によって検知された湿度の値を逐次受け付け、記憶部（不図示）に時系列データを記憶する。そして、湿度上昇判定部３１は、この時系列データの変化に基づき、湿度の上昇の有無を判定する。
【００５５】
例えば、湿度上昇判定部３１は、時系列データにおいて、直近の湿度の値と前回、受け付けた湿度の値とを比較して湿度の上昇の有無を判定する構成であってもよい。あるいは、湿度上昇判定部３１は、時系列データにおける直近のｎ個（ｎは任意の自然数）のデータの平均を求めた移動平均の値の変化から湿度の上昇の有無を判定する構成であってもよい。
【００５６】
また、湿度の値が所定値以上変化した場合に湿度上昇判定部３１は、湿度が上昇したと判定してもよい。換言すると湿度センサ２４による湿度の測定誤差に対処するため、湿度の値が所定値以上変化していない場合は、仮に検知された直近の湿度の値が前回、検知された湿度の値よりも大きくなっていても湿度が上昇したとは判定しない。
【００５７】
または、湿度の変化量が所定値以上にはならないが、湿度に関して所定の変化が頻発するような場合、この所定の変化における変化量の最小値を第２所定値とし、この第２所定値以上となる回数が所定回数以上、またはこの第２所定値以上となる時間が単位時間当たりに所定時間以上発生したか否によって湿度の上昇の有無を判定する構成としてもよい。
【００５８】
湿度上昇判定部３１は、湿度が上昇したと判定した場合、その判定結果を差水判定部３４に送信する。
【００５９】
流量演算部３２は、流量計測部２０によって計測された値を所定の間隔で逐次受け付ける。そして、流量演算部３２は、受け付けた値に基づき、計測流路１１を流れるガスの流量値を求める。流量演算部３２は、求めたガスの流量値を流通判定部３３に送信する。
【００６０】
流通判定部３３は、流量演算部３２から受信したガスの流量値に基づき計測流路１１内をガスが流れているか否か判定する。
【００６１】
ここで、流通判定部３３が、ガスが流れていると判定した場合、ガスが使用されている状態にあることを示す。一方、流通判定部３３が、ガスが流れていないと判定した場合、ガスが使用されていない状態にあることを示す。流通判定部３３は、ガスが流れているか否かの判定結果を差水判定部３４に送信する。
【００６２】
差水判定部３４は、湿度上昇判定部３１から受信した湿度上昇を示す判定結果と、流通判定部３３から受信したガスが流れているか否かの判定結果とに基づき配管における差水の有無を判定する。具体的には、差水判定部３４は、湿度が上昇していると判定し、かつ計測流路１１内をガスが流れていないと判定した場合、配管内に差水が発生していると判定する。
【００６３】
差水判定部３４は、差水の有無の判定結果において、配管内に差水が生じていると判定した場合、その判定結果を報知部２２に送信する。報知部２２は、差水判定部３４の判定結果を受信すると、外部に対して配管内における差水の発生を報知する。
【００６４】
上記した構成を有するガス遮断装置１００では、以下のようにして差水判定処理を実施する。
【００６５】
すなわち、図４に示すように、遮断部２３により計測流路１１が開放されている状態（開状態）において、湿度上昇判定部３１が湿度センサ２４から湿度の値を逐次、受け付ける（ステップＳ１１）。そして、受け付けた湿度の値に基づき、湿度が上昇したか否か判定する（ステップＳ１２）。
【００６６】
ここで、湿度上昇判定部３１が、湿度が上昇していないと判定した場合（ステップＳ１２において「Ｎｏ」）、ステップＳ１１に戻って、湿度の値を所定の間隔で逐次受け付ける。
【００６７】
一方、湿度が上昇したと判定した場合（ステップＳ１２において「Ｙｅｓ」）、流量演算部３２が、流量計測部２０によって検知された値に基づき、計測流路１１内を流れるガスの流量を求める（ステップＳ１３）。流量演算部３２によって求められたガスの流量の値に基づき、流通判定部３３が計測流路１１内をガスが流れているか否か判定する（ステップＳ１４）。
【００６８】
ここで、流通判定部３３が、計測流路１１内をガスが流れていると判定した場合（ステップＳ１４において「Ｎｏ」）、ステップＳ１３に戻って、流量演算部３２が、流量計測部２０によって計測された値を所定の間隔で逐次受け付け、計測流路１１内を流れるガスの流量を求める。
【００６９】
一方、流通判定部３３が、計測流路１１内をガスが流れていないと判定した場合（ステップＳ１４において「Ｙｅｓ」）、差水判定部３４は、配管内に差水が発生していると判定する。そして、配管内における差水の発生を報知するように報知部２２を制御する（ステップＳ１５）。
【００７０】
なお、上記ではステップＳ１１およびステップＳ１２によって湿度の上昇判定を行った後、湿度が上昇している場合に、ステップＳ１３およびステップＳ１４によって計測流路１１内をガスが流れているか否か判定する構成であった。
【００７１】
しかしながら、ステップＳ１３およびステップＳ１４を先に実行し、計測流路１１内をガスが流れていない場合に、ステップＳ１１およびステップＳ１２を実行してもよい。あるいは、ステップＳ１１およびステップＳ１２とステップＳ１３およびステップＳ１４を並行して実行して、湿度が上昇し、かつ計測流路１１内をガスが流れていないという条件を満たす場合に配管内において差水が発生していると差水判定部３４が判定してもよい。
【００７２】
以上のように、本発明の実施の形態に係るガス遮断装置１００は、計測流路１１が開弁状態でかつ、ガスが流れていない時に、配管内に差水が発生したか否か判定することができる。このため、ガスが使用される前の時点で適切に配管内に差水が発生したか否か判定し、外部に報知することができる。
【００７３】
なお、本発明の実施の形態に係るガス遮断装置１００では、ガスの不使用期間において計測流路１１内の湿度が上昇した場合に配管内に差水が生じていると判定する構成であった。しかしながら、ガスの使用が確認されたタイミング（計測流路１１内をガスが流れていると判定したタイミング）から所定期間における湿度の時系列データから所定期間に所定値以上、湿度が上昇し、かつ湿度が下降しているか否か判定し配管内の差水の発生を判定する構成としてもよい。
【００７４】
すなわち、ガスの使用開始後の短時間に生じる、湿度が急増しピークが生じる変化から配管内の差水の発生を判定する構成としてもよい。以下、差水判定処理の変形例について説明する。
【００７５】
［差水判定処理の変形例］
差水判定処理の変形例に関する制御部２１の機能ブロックは、図３に示す機能ブロックと同様であるため説明は省略する。
【００７６】
ガス遮断装置１００は、図５に示すようにして差水判定処理を実施する。図５は、図２に示すガス遮断装置１００による差水判定処理の変形例の一例を示すフローチャートである。
【００７７】
すなわち、図５に示すように、遮断部２３により計測流路１１が開放されている状態（開状態）において、流量演算部３２が、流量計測部２０によって検知された値に基づき、計測流路１１内を流れるガスの流量を求める（ステップＳ２１）。流量演算部３２によって求められたガスの流量の値に基づき、流通判定部３３が計測流路１１内をガスが流れているか否か確認して、ガスの使用が開始されたか否か判定する（ステップＳ２２）。
【００７８】
ガスの使用が開始されたと判定されない間（ステップＳ２２において「Ｎｏ」）は、ステップＳ２１に戻って流量演算部３２がガスの流量を求める。
【００７９】
一方、ガスの使用が開始されたと判定された場合、湿度上昇判定部３１が湿度センサ２４から湿度の値を逐次、受け付ける（ステップＳ２３）。そして、受け付けた湿度の値に基づき、湿度が所定期間において所定値以上、上昇し、かつその後、降下したか否か判定する（ステップＳ２４）。
【００８０】
湿度上昇判定部３１が、湿度が所定期間において所定値以上、上昇し、かつその後、降下したと判定した場合（ステップＳ２４において「Ｙｅｓ」）、差水判定部３４は、配管内に差水が発生していると判定する。そして、配管内における差水の発生を報知するように報知部２２を制御する（ステップＳ２５）。
【００８１】
一方、ステップＳ２４において「Ｎｏ」の場合、配管内に差水が発生していないと判定する（ステップＳ２６）。
【００８２】
なお、制御部２１は、上記した差水判定処理および差水判定処理の変形例の両方を実施し、両方の判定で配管内に差水が発生したと判定した場合に、配管内における差水の発生を報知するように報知部２２を制御する構成としてもよい。
【００８３】
本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【００８４】
本発明は、湿度センサによって検知された値に基づき、配管内に差水が生じたか否か判定することができるガス遮断装置等の分野に広く好適に用いることができる。
【符号の説明】
【００８５】
１１  計測流路
２０  流量計測部
２１  制御部
２２  報知部
２３  遮断部
２４  湿度センサ
３１  湿度上昇判定部
３２  流量演算部
３３  流通判定部
３４  差水判定部
１００  ガス遮断装置
【図１】
2020165854.tif 000003
【図２】
2020165854.tif 000004
【図３】
2020165854.tif 000005
【図４】
2020165854.tif 000006
【図５】
2020165854.tif 000007